(57)【要約】      （修正有）【課題】修理用携帯情報機器の配送容器において、修理用携帯情報機器の梱包資材費を削減して物流コストを低減すると共に、梱包・開梱作業を簡単にして全体の作業効率を上げ、しかも環境保全の要請にも適合させる。【解決手段】開閉自在の外箱Ａ内に、出し入れ自在に内箱Ｂを配設し、内箱Ｂは、上方を開放した矩形状箱本体１０と、その上端部１０ｅから外側に折り返して四方の立板部１０ｂ、１０ｄに沿って延びる重ね合せ片１１とで形成する。箱本体は、底板部上に、修理用携帯電話Ｔを載せると表面に有する粘着性で携帯電話を吸着保持する樹脂製の滑り止めマットを布設する。重ね合せ片１１は、全体を箱本体の立板部１０ｂ，１０ｄに対し下縁に向うに従い漸次離隔した末広に形成すると共に、内箱Ｂに対し同形状の他の内箱を互いの箱本体が嵌め込み状態で重ね合せたとき、中途高さ位置で上段側の内箱を受け止める受け段部１９ａ、２３ａを設けてなる。【選択図】        図１
2004299700.tif 000002
【特許請求の範囲】
【請求項１】
開閉自在な蓋体を備える外箱と、外箱内に出し入れ自在に配設する内箱とで構成し、その内箱内に修理用携帯情報機器を収納する配送容器であって、
前記内箱は、上方を開放した矩形状の箱本体と、その箱本体の上端部から外側に折り返して四方の立板部に沿って延びる重ね合せ片とからなり、
前記箱本体には、その底板部上に、前記修理用携帯情報機器を載せると表面に有する粘着性で該携帯情報機器を吸着保持する樹脂製の滑り止めマットを布設し、
前記重ね合せ片は、全体を前記箱本体の前記立板部に対し下縁に向うに従い漸次離隔した末広に形成すると共に、前記内箱に対し同形状の他の内箱を互いの箱本体が嵌め込み状態で重ね合せたとき、中途高さ位置で上段側の内箱を受け止める受け段部を設けてなることを特徴とする、修理用携帯情報機器の配送容器。
【請求項２】
前記内箱の前記箱本体は、その立板部に、凹凸の嵌め合いで他の前記内箱との重なり合い位置を決める帯状のガイド部を設けてなることを特徴とする、請求項１に記載の修理用携帯情報機器の配送容器。
【請求項３】
前記箱本体の上端部に、シート差込み用の切り込みを設けてなることを特徴とする、請求項１又は２に記載の修理用携帯情報機器の配送容器。
【請求項４】
前記蓋体の内面にクッション材を付設する共に、前記箱本体の底板部下面にもクッション材を付設してなることを特徴とする、請求項１、２又は３に記載の修理用携帯情報機器の配送容器。
【発明の詳細な説明】
【０００１】
【発明の属する技術分野】本発明は、修理用の携帯電話や携帯情報端末（ＰＤＡ）などの修理用携帯情報機器を梱包し、たとえば小売店やショップ等の販売先からメーカの修理工場へ配送する場合に使用する修理用携帯情報機器の配送容器に関する。
【０００２】
【従来の技術】従来、各種の携帯情報機器の中で、たとえば携帯電話を修理するために携帯電話会社のショップからメーカの修理工場へ配送する場合は、通常、ショップにて個々の修理用携帯電話をクッション性包装材で包んで保護してから、専用のダンボール箱内に積め込み、さらにダンボール箱をシール用テープで封印して梱包している。
【０００３】
修理工場では、配送されたダンボール箱を開梱して後、クッション性包装材を開封して１つ１つ修理用携帯電話を取り出してから、それら携帯電話を、修理工程に応じて専用トレーに入れ換えてから、修理ラインにのせて必要な修理作業が行われている。修理後は、修理済携帯電話を専用トレーから取り出し、改めてクッション性包装材で包んでから、ダンボール箱内に積め込み、さらにダンボール箱をシール用テープで封印して梱包して後、ショップへと出荷している。
【０００４】
【発明が解決しようとする課題】ところが、従来では、ショップ側および修理工場側において、それぞれダンボール箱、クッション性包装材、シール用テープなど、使い捨て梱包資材を使用して携帯電話を梱包する構成であるため、大量の携帯電話を繰り返し配送する場合には、（１）それだけ梱包資材費が嵩み、全体としての物流コストが著しく高くなるという課題があった。（２）しかも、携帯電話の梱包・開梱作業に時間と手間がかかり、それだけ全体に輸送上の作業効率が悪くなるという課題がある。（３）さらに、ダンボール箱等の梱包資材は、使用後に廃棄することになるので廃材が大量に発生し、これでは、環境保全上、資源の有効利用の要請に反し好ましくないという課題がある。
【０００５】
また、従来は、修理用携帯電話を入出荷する全輸送工程の中で、梱包資材とは別に、途中の修理工程で専用トレーを使用し、それに入れ換える作業が必要であるため、それだけ余計に人件費やトレー費を発生してコストが高くなるという課題もあった。
【０００６】
そこで、本発明の目的は、従来課題であった上述のような諸問題を解消し、修理用携帯情報機器の梱包資材費を削減して物流コストを低減すると共に、梱包・開梱作業を簡単にして全体の作業効率を上げ、しかも環境保全の要請にも十分適合する配送容器を提供することにある。
【０００７】
【課題を解決するための手段】そのため、上記目的を達成すべく、請求項１に記載の発明は、たとえば以下に図面を用いて説明する実施の形態に示すとおり、開閉自在な蓋体２を備える外箱Ａと、外箱Ａ内に出し入れ自在に配設する内箱Ｂとで構成し、その内箱Ｂ内に修理用携帯電話Ｔのような修理用携帯情報機器を収納する配送容器であって、前記内箱Ｂは、上方を開放した矩形状の箱本体１０と、その箱本体１０の上端部１０ｅから外側に折り返して四方の立板部１０ａ〜１０ｄに沿って延びる重ね合せ片１１とからなり、前記箱本体１０には、その底板部１０ｆ上に、前記修理用携帯情報機器を載せると表面に有する粘着性で該携帯情報機器を吸着保持する樹脂製の滑り止めマット２５を布設し、前記重ね合せ片１１は、全体を前記箱本体１０の前記立板部１０ａから１０ｄに対し下縁に向うに従い漸次離隔した末広に形成すると共に、前記内箱Ｂに対し同形状の他の内箱Ｂ´を互いの箱本体１０が嵌め込み状態で重ね合せたとき、中途高さ位置で上段側の内箱Ｂを受け止める受け段部１８ａ〜２３ａを設けてなることを特徴とする。
【０００８】
請求項２に記載の発明は、請求項１に記載の修理用携帯情報機器の配送容器において、たとえば以下に図面を用いて説明する実施の形態に示すとおり、前記内箱Ｂの前記箱本体１０は、その立板部１０ａ〜１０ｄに、凹凸の嵌め合いで他の前記内箱Ｂ´との重なり合い位置を決める帯状のガイド部１２…を設けてなることを特徴とする。
【０００９】
請求項３に記載の発明は、請求項１又は２に記載の修理用携帯情報機器の配送容器において、たとえば以下に図面を用いて説明する実施の形態に示すとおり、前記箱本体１０の上端部１０ｅに、シート差込み用の切り込み１３を設けてなることを特徴とする。
【００１０】
請求項４に記載の発明は、請求項１、２又は３に記載の修理用携帯情報機器の配送容器において、たとえば以下に図面を用いて説明する実施の形態に示すとおり、前記蓋体２の内面にクッション材５を付設する共に、前記箱本体１０の底板部１０ｆ下面にもクッション材３０を付設してなることを特徴とする。
【００１１】
【発明の実施の形態】以下、図面を参照しつつ、本発明の実施の形態について詳細に説明する。
【００１２】
図１および図２は、本発明による修理用携帯情報機器の配送容器の一例を示す斜視図である。図示例の配送容器は、外箱Ａと、外箱Ａ内に出し入れ自在に配設する内箱Ｂとからなる。そのうちの外箱Ａは、容器本体１と、容器本体１を開閉する蓋体２とからなる。
【００１３】
外箱Ａの容器本体１は、厚肉な樹脂製シート材を用いて、上方開放型の四角い箱形につくり、正面板部１ａに掛け止め具３を付設している。掛け止め具３は、取付部材３ａに、垂直なロック位置と水平なロック解除位置に回動可能にフック３ｂを嵌着した構造になっている。
【００１４】
蓋体２は、同じく厚肉な樹脂製シート材を用いて、容器本体１に合わせて略四角い箱形につくり、容器本体１に対し、その背面板部上縁にて撓み可能に折り曲げて一体に形成され、その折曲ヒンジ部で回動して容器本体１を開閉する構造になっている。斯かる蓋体２には、正面板部２ａに、容器本体１側の掛け止め具３を掛け止める掛止片４を付設し、その掛止片４に掛止穴４ａを設けている。さらに、天板部２ｂの内面には、スポンジ製の厚肉なクッション材５を接着している。クッション材５は、その接着面と反対側の保護面５ａを凸凹面で形成することもできる。
【００１５】
斯かる外箱Ａの前記樹脂製シート材としては、携帯情報機器の破損防止効果を奏するほどに剛性を有すると共に、静電気除去性能および帯電防止性能の点で優れ、しかも、化学分解型の発泡剤を用いた場合に発生するアンモニア等により電子部品・ＩＣ基盤を腐食させない防腐性に富んだ、発泡ポリプロピレンシートを使用することが望ましい。
【００１６】
一方、内箱Ｂは、比較的薄肉な樹脂製シート材を用いて一体成形し、図３および図４に示すように、上方を開放した直方体形状の箱本体１０と、箱本体１０の上端部１０ｅから外側に折り返して四方の立板部１０ａ〜１０ｄに沿って延びる重ね合せ片１１とで形成してなる。箱本体１０は、立板部１０ａ〜１０ｄにおいて、各々の高さ方向にガイド部１２…を互いに平行に設けてなる。各ガイド部１２は、内向きに凸状で外向きに凹状をなす帯状に形成している。さらに箱本体１０には、上端部１０ｅにシート差込み用の切り込み１３を設けている。
【００１７】
内箱Ｂの重ね合せ片１１は、全体を箱本体１０の立板部１０ａ〜１０ｄに対し下縁に向うに従い漸次離隔した末広になるように若干傾けて形成している。また、互いに対向する短手な側片部１１ａ・１１ｂのうち、一方の側片部１１ａには（図３参照）、内向きに凹状で外向きに凸状をなす帯状の位置決め部１８・１９を、互いに平行に高さ方向に渡して設けている。さらに、位置決め部１８・１９間には、それらと平行に、内向きに凸状で外向きに凹状をなす断面円弧状の突き当て部２０を、上端部１０ｅから略中段高さ位置まで形成している。そして、位置決め部１８・１９には、それぞれ上端面に受け段部１８ａ・１９ａを形成し、突き当て部２０には、下端面に受け段部２０ａを形成している。
【００１８】
他方の側片部１１ｂには（図４参照）、一方の側片部１１ａとは対称的に、内向きに凸状で外向きに凹状をなす断面円弧状の突き当て部２１・２２を、互いに平行に上端部１０ａから略中段高さ位置まで形成している。突き当て部２１・２２間には、それらと平行に、内向きに凹状で外向きに凸状をなす帯状の位置決め部２３を、高さ方向に渡して形成している。そして、一方の側片部１１ａとは反対に、突き当て部２１・２２には、それぞれ下端面に受け段部２１ａ・２２ａを形成し、位置決め部２３には、上端面に受け段部２３ａを形成してなる。
【００１９】
斯かる形状の内箱Ｂには、箱本体１０の底板部１０ｆ上に、図５でも示すように滑り止めマット２５を布設している。滑り止めマット２５は、たとえばポリウレタンを主成分とする樹脂製スポンジ材からなり、クッション性を有すると共に、携帯情報機器、たとえば携帯電話Ｔを載せると表面に有する粘着性で吸着保持する性質を有してなる。なお、箱本体１０における底板部１０ｆの下面には、図６に示すように、スポンジ製の厚肉なクッション材３０を接着している。
【００２０】
さて、上述した構成の配送容器を用いて、携帯電話を修理するために、例えば携帯電話会社のショップからメーカの修理工場へ配送する場合は、まずショップにて、図１に示すように外箱Ａの蓋体２を開けて、修理用携帯電話Ｔを包装材で包むことなく、そのまま内箱Ｂに入れて、滑り止めマット２５上に載置する。この載置時に携帯電話Ｔが受ける衝撃は、滑り止めマット２５と内箱Ｂのクッション材３０で緩衝し、携帯電話Ｔを保護する。そして、蓋体２を容器本体１に被せてから、掛け止め具３のフック３ｂを掛止片４の掛止穴４ａに通し、図２に示すようにロック位置に回動させて蓋体２の開閉をロックする。
【００２１】
こうして簡単に箱詰めを終えてから、メーカの修理工場へ配送する。そして、配送途中で配送容器を持ち運ぶとき、携帯電話Ｔは、その上下方向をクッション材５・３０で緩衝して保護すると同時に、滑り止めマット２５上で動かないように吸着保持され、並べて置いた携帯電話Ｔが衝突して相互に干渉し合わないように保護される。
【００２２】
修理用携帯電話Ｔが修理工場に入荷されると、外箱Ａのフック３ｂをロック解除位置に回して蓋体２の開閉ロックを解除し、図１に示すように蓋体２を開けて、外箱Ａから内箱Ｂを取り出し、内箱Ｂを修理用の専用トレーとして使用する。つまり、修理用携帯電話Ｔを内箱Ｂに収納したまま、修理ラインにのせて必要な修理工程へと進める。このとき、修理伝票など、修理情報に関するシートは、切り込み１３に差し込むことができる。
【００２３】
ところで、本発明による配送容器では、修理工程において、携帯電話Ｔが収納状態の内箱Ｂを、机等の上に、いったん置いて修理作業したりするときは、複数の内箱Ｂをバラバラに載置することなく、上下多段に積み重ねてまとめることができる。
【００２４】
携帯電話Ｔが収納状態の内箱Ｂを積み重ねる場合は、図７に示すように、上下の内箱Ｂ・Ｂ´を、重ね合せ片１１の短手な側片部１１ａ・１１ｂが左右逆になる向きにしてから、互いの箱本体１０をガイド部１２…で案内して嵌め合わせる。すると、上段側の内箱Ｂの末広な重ね合せ片１１が下段側の内箱Ｂ´の重ね合せ片１１に被さるが、そのとき、上段の側片部１１ａの受け段部２０ａが、下段の側片部１１ｂの受け段部２３ａに突き当たると同時に、反対側では、上段の側片部１１ｂの受け段部２１ａ・２２ａが下段の側片部１１ａの受け段部１８ａ・１９ａに突き当たる。従って、上下の内箱Ｂ・Ｂ´は、重ね合わせたとき、中間高さ位置において、上段の内箱Ｂを下段の内箱Ｂ´で受け止め、下段の内箱Ｂ´内の携帯電話Ｔに対し干渉することなく、半重ね状態で積み重ねられる。
【００２５】
これを同様に繰り返すことで、さらに２段以上多段に、携帯電話Ｔが収納状態の内箱を半重ね状態で積み重ねることができる。従って、このように携帯電話Ｔが収納状態の内箱を多段に積み重ねても、半重ね状態で積層するため、下段側の内箱内の携帯電話Ｔに対し干渉することなく、しかも、積層高さが無駄に高くなることもなく、効率良く積み重ねることができる。
【００２６】
また、本発明による配送容器では、たとえば修理工程を終えて、空の内箱Ｂを机等の上に置いて保管したりするときも、複数の内箱Ｂをバラバラに載置することなく、上下多段に積み重ねてまとめることができる。
【００２７】
空の内箱Ｂを積み重ねる場合は、図８に示すように、上下の内箱Ｂ・Ｂ´を、重ね合せ片１１の短手な側片部１１ａ・１１ｂを左右同じ向きに合せてから、互いの箱本体１０を嵌め合わせる。すると、上述したと同様に、上段の内箱Ｂの末広な重ね合せ片１１が下段の内箱Ｂ´の重ね合せ片１１に被さるが、そのとき、上段の側片部１１ａの位置決め部１８・１９と突き当て部２０が、下段の同じ側片部１１ａの位置決め部１８・１９及び突き当て部２０と、凹凸の嵌め合いで係合する。同時に反対側でも、上段の側片部１１ｂの位置決め部２１・２２と突き当て部２３が、下段の同じ側片部１１ｂの位置決め部２１・２２及び突き当て部２３と、凹凸の嵌め合いで係合し、上下の内箱Ｂ・Ｂ´が隙間なく完全に重ね合せられる。
【００２８】
従って、これを同様に繰り返し、更に多数段に空の内箱を積み重ねても、無駄に高さ方向に嵩張ることなく、効率良く積み重ねることができる。
【００２９】
さて、修理後、入荷時に使用した上記配送容器は、廃棄することなく、そのまま繰り返し使用する。即ち、今度は、ショップへと出荷するために再使用する。その場合も、前述したと同様、図１に示すように外箱Ａの蓋体２を開けて、修理済携帯電話Ｔを包装材で包むことなく、そのまま内箱Ｂに入れて、滑り止めマット２５上に載置してから、蓋体２を容器本体１に被せる。そして、掛け止め具３を操作して蓋体２の開閉をロックするだけでよい。こうして簡単に箱詰めを終えてショップへと出荷する。
【００３０】
【発明の効果】上述のように構成した本発明によれば、次のような効果が得られる。
【００３１】
請求項１に記載の発明によれば、（１）ダンボール箱、クッション性包装材、シール用テープなど、使い捨て梱包資材を一切必要とせず、頻繁に修理用携帯情報機器を梱包して配送する場合でも、繰り返し使用することができ、それだけ梱包資材費を削減して全体の物流コストを著しく低減させることができる。（２）しかも、修理用携帯情報機器の梱包・開梱作業を手間なく簡単にして全体の作業効率を格段に向上させることができる。（３）さらに、使用後に梱包資材の大量な廃材を発生させず、その結果、資源の有効利用を実現して環境保全の要請に十分応えることができる。
【００３２】
さらに請求項１に記載の発明によれば、修理用携帯情報機器の修理工程において、外箱内に備える内箱を、そのまま修理用の専用トレーとして使用することができ、その結果、修理用に専用のトレーを不用にし、その分だけ修理用携帯情報機器に対する全体の物流コストを飛躍的に低減させることができる。
【００３３】
加えて、請求項１に記載の発明によれば、修理工程において、必要に応じ、携帯情報機器が収納状態の内箱を、上下多段に積み重ねてまとめることができると共に、そのように携帯情報機器が収納状態の内箱を多段に積み重ねても、半重ね状態で積層して下段側の内箱内の携帯情報機器に対し干渉することなく、しかも、積層高さが無駄に高くなることもなく、効率良く積み重ねることができる。一方、空の内箱を使用せず保管したりするときも、上下多段に積み重ねてまとめることができると共に、そのように空の内箱を多段に積み重ねても、上下の内箱が隙間なく完全に重ねられ、無駄に高さ方向に嵩張ることなく、効率良く積み重ねることができる。
【００３４】
請求項２に記載の発明によれば、加えて、内箱を多段に積み重ねるとき、その箱本体を帯状ガイド部の凹凸の嵌め合いで案内し、簡単に且つガタなく確実に重ね合わせることができる。
【００３５】
請求項３に記載の発明によれば、加えて、修理用携帯情報機器を修理ラインにのせる時など、必要に応じて、修理伝票など、修理情報に関するシートを切り込みに差し込んで使用することができ、そのような情報シートを紛失したり混在させたりすることを防止し、修理工程を適確に進めることができる。
【００３６】
請求項４に記載の発明によれば、加えて、修理用携帯情報機器を、外箱側のクッション材と内箱側のクッション材の間で衝撃を緩衝して確実に保護することができる。
【図面の簡単な説明】
【図１】本発明による修理用携帯情報機器の配送容器の一例を、外箱を開けた状態において示す斜視図である。
【図２】同じ修理用携帯情報機器の配送容器を、外箱を閉じた状態において示す斜視図である。
【図３】内箱の斜視図である。
【図４】内箱を１８０度向きを変えて示す斜視図である。
【図５】内箱の平面図である。
【図６】内箱の底面図である。
【図７】携帯電話を収納した内箱を積み重ねる状態を示す斜視図である。
【図８】空の内箱を積み重ねる状態を示す斜視図である。
【符号の説明】
Ａ              外箱
Ｂ              内箱
Ｔ              修理用携帯電話
１              容器本体
２              蓋体
５・３０        クッション材
１０            内箱の箱本体
１０ａ〜１０ｄ  箱本体の立板部
１０ｅ          箱本体の上端部
１０ｆ          箱本体の底板部
１１            内箱の重ね合せ片
１２            箱本体のガイド部
１３            切り込み
１８ａ〜２３ａ  重ね合せ片の受け段部
２５            滑り止めマット
【図１】
2004299700.tif 000003
【図２】
2004299700.tif 000004
【図３】
2004299700.tif 000005
【図４】
2004299700.tif 000006
【図５】
2004299700.tif 000007
【図６】
2004299700.tif 000008
【図７】
2004299700.tif 000009
【図８】
2004299700.tif 000010